(57)【要約】　　　（修正有）【課題】脳と運動神経および体の各部筋力強化を総合的に訓練することにより、姿勢をただし精神安定とストレス解消を含め、健全なる体質強化をはかる総合装置を提供する。【解決手段】図２で示す架台１０と自由板１２と自由架台１４と球体３０と踏台１６の構成品と、自由板１２の上下に取り付けられた複数個のベアリング１８・２０と上下の各ガイドロッド２２・２４から構成されている。架台１０と自由架台１４の間に、自由板１２があり、この自由板１２の上下には、複数個のベアリング１８・２０が取り付けられ、上下の各ガイドロッド２２・２４に沿って、３６０度自由に自由架台１４が動くよう設計されているため、少しの重心移動でも自由架台１４は動き、姿勢をただし精神を安定させる。【選択図】　　　図２
2004097737.tif 000002
【特許請求の範囲】
【請求項１】
脳・運動神経および筋力訓練において、幅広く利用できる訓練装置を提供するものである。脳・運動神経および筋力訓練装置は、架台上に３６０度各方向に自由に動く自由架台が配置され、その上には踏台が配置されていて、自由架台と踏台の間には、球体が挟めるよう、自由架台上側および踏台下側中心部に夫々に凹みを持ち、自由架台と球体と踏台とはユニバーサルボルトにて留められ、自由架台に対し踏台は、中心部を基点に３６０度各方向にシーソー運動ができるよう、組み立てられているため、踏台上に人が立つと、非常に不安定な状態に身を置くことになる。この不安定な状態を安定した状態にする努力のため、全身を使って努力する過程で、少しの重心移動で素早く自由架台が３６０度各方向に移動すると共に、踏台も体重移動のため３６０度各方向にシーソー運動を起こす。この一連のバランスをとる動作は、脳からの運動神経の命令を受けて、体内の各筋力が運動を興す。この運動神経と体内各筋力の総合運動は、屋内外で一台の装置で安全に実施できることを特徴とする。脳・運動神経および筋力訓練装置。
【請求項２】
脳・運動神経および筋力訓練装置は、訓練過程で初級から上級者までの各級に合わせた訓練ができるよう設定ができる。各級における、重心移動の移動速度調整は、自由架台下方の内側に複数カ所取り付けられている、移動速度調整スプリングを交換して行なう。また体重移動によるシーソー運動速度調整は、自由架台と球体と踏台を取り付けているユニバーサルボルトの締め付けトルクを調節することにより、調整できることを特徴とする。請求項１に記載の脳・運動神経および筋力訓練装置。
【請求項３】
脳・運動神経および筋力訓練で、重心移動が激しかったとき自由架台の移動速度も早くなり、自由板の上下に取り付けられている、複数個のベアリングが上下各ガイドロッドを介して移動し、各ガイドロッド固定金具と衝突して、大きな衝撃が発生する。この衝撃を緩和するため、自由板上下の各ベアリングと上下各ガイドロッド固定金具の作動範囲内に、衝撃吸収スプリングを配置し、安全な運動ができるよう設計していることを特徴とする。請求項１に記載の脳・運動神経および筋力訓練装置。
【請求項４】
脳・運動神経および筋力訓練は、各種スポーツのバランスと老化防止訓練が実施できることを特徴とする。請求項１に記載の脳・運動神経および筋力訓練装置。
【発明の詳細な説明】
【０００１】
【発明の属する技術分野】
本発明は、脳と運動神経および体の各部筋力強化を総合した訓練に関する。
【０００２】
【従来の技術】
上記した、脳と運動神経および体の各部筋力強化を同時に実施できる装置は無く、一般的な筋力強化器具が主流である。
【０００３】
【発明が解決しようとする課題】
上記した、従来の技術では、ただ筋力強化対策でしかなく、かたわであり、脳からの指示命令と、運動神経および筋力強化を総合した訓練ではないので、健全な基本体質強化にはならない大きな問題が残る。
【０００４】
【目的】
本発明は、上記した従来技術での問題点を解消するためになされたもので、脳と運動神経および体の各部筋力強化を総合的に訓練することにより、姿勢をただし精神安定とストレス解消を含め、健全なる体質強化をはかる総合装置を提供することを目的とする。
【０００５】
【課題を解決するための手段】
本発明に係わる、脳・運動神経および筋力訓練装置は、脳と運動神経および筋力の総合訓練において、幅広く利用できる訓練装置を提供するものである。脳・運動神経および筋力訓練装置は、架台上に３６０度各方向に自由に動く自由架台が配置され、その上には踏台が置かれている。自由架台と踏台の間には、球体が中心部で挟めるよう、自由架台の上側と踏台の下側中心部に夫々凹みを持ち、自由架台と球体と踏台とは、ユニバーサルボルトにて留められ、自由架台に対し踏台は、中心部を基点に３６０度各方向にシーソー運動ができるよう組み立てられている。踏台上に人が立つと、非常に不安定な状態に身を置くことになり、この不安定な状態を安定した状態にする努力のため、全身を使って努力する過程で、少しの重心移動であっても素早く自由架台が３６０度各方向に移動する。踏台も少しの体重移動で３６０度各方向にシーソー運動を起こしい、この一連のバランスをとる動作は、脳からの運動神経の命令を受けて、体内の各筋力が運動を興す。この脳と運動神経および体内各筋力の総合運動は、屋内外で一台の装置で安全に実施できることを特徴とする。
【０００６】
脳と運動神経および筋力訓練装置は、訓練過程で初級から上級者までの各級に合わせた訓練ができるよう設定ができる。各級における、重心移動の移動速度調整は、自由架台下方の内側に複数カ所取り付けられている移動速度調整スプリングを交換して行なう。また体重移動によるシーソー運動速度調整は、自由架台と球体と踏台を取り付けているユニバーサルボルトの締め付けトルクを調節することにより調整できることを特徴とする。
【０００７】
脳・運動神経および筋力訓練で、重心移動が激しかったとき自由架台の移動速度も早くなり、自由板の上下に取り付けられている複数個のベアリングが上下各ガイドロッドを介して移動し、各ガイドロッド固定金具と衝突して、大きな衝撃が発生する。この衝撃を緩和するため、自由板上下の各ベアリングと上下各ガイドロッド固定金具の作動範囲内に、衝撃吸収スプリングを配置し、安全な運動ができるよう設計していることを特徴とする。
【０００８】
脳・運動神経および筋力訓練は、各種スポーツのバランス訓練をも平行して実施できることを特徴とする。
【０００９】
【実施例】
以下図面を参照して本発明の実施例を詳細に説明する。
【００１０】
図１は、本発明の一実施例における脳・運動神経および筋力訓練装置の平面図を示す。図２は、図１のＡ−Ａ線から見た正面図を示す。
【００１１】
本実施例では、図１および図２で示す、架台１０と自由板１２と自由架台１４と球体３０と踏台１６の大きな部品と、自由板１２の上下には複数個のベアリング１８・２０とガイドロッド２２・２４から構成されている。
【００１２】
自由架台１４と踏台１６の間に球体３０を挟んで、ユニバーサルボルト３２で固定されているため、踏台１６の中央に人が立つと体重移動により踏台１６は傾き、これを修正する脳からの指示により、足腰を動かし姿勢をただし、バランスをとる努力をする。
この一連作業を繰り返して、バランス良く中立安定するまでに脳・運動神経および筋力が非常に使われる。
【００１３】
また、体重移動だけでなく、体の重心位置が移動すると、踏台１６を乗せている自由架台１４が、３６０度各方向に自由に移動する。これは架台１０と自由架台１４の間に、自由板１２があり、この自由板１２の上下には、複数個のベアリング１８・２０が、上下の各ガイドロッド２２・２４に沿って、３６０度自由に自由架台１４が動くよう設計されている。尚この構成は、発明者が特許登録（特許第３２２２０８２号）されている技術である。この技術は少しの重心移動でも自由架台は動くよう設計されているため、中立安定までには時間を必要とするため、脳・運動神経および筋力が非常に使われ総合的な訓練装置を提供。
【００１４】
踏台１６の上で姿勢をただし精神を安定させバランスをとりながら、体を３６０度方向に自由に動かす操作は、日々の体調にも影響され、なかなかできないため、初級から上級と熟練度にあわせて、重心移動による自由架台１４の移動速度を、自由架台１４下方の内側に複数カ所あるスプリング３６を交換して調節し、各級にあった、脳と運動神経および筋力を総合強化訓練ができる装置を提供する。
【００１５】
また、踏台１６のシーソー運動も各級にあわせて、ユニバーサルボルト３２の締め付けトルクを調整して、シーソーの動きを制御し、各級にあった、脳と運動神経および筋力を総合強化訓練ができる装置を提供する。
【００１６】
脳・運動神経および筋力訓練で、重心移動が激しかったとき自由架台１４の移動速度も非常に早くなり、自由板１２の上下に取り付けられている、複数個のベアリング１８・２０が上下各ガイドロッド２２・２４を介して高速に移動し、上下各ガイドロッド固定金具２６・２８と衝突して大きな衝撃が発生する。この衝撃を緩和するため、自由板１２上下の各ベアリング１８・２０と上下各ガイドロッド固定金具２６・２８の作動範囲内に、衝撃吸収スプリング４２を配置し、衝撃を吸収し安全な運動ができ、脳と運動神経および筋力を総合強化訓練ができる装置を提供する。
【００１７】
各級の訓練者が訓練中に転倒した場合の安全対策として、架台１０の円周に、一定の巾と高さを持った衝撃吸収材を配置して、事故防止を謀った、脳と運動神経および筋力を総合強化訓練ができる装置を提供する。
【００１８】
脳・運動神経および筋力訓練装置を設置するとき、設置面が水平でないと、自然に自由架台１４が移動するため、設置には十分注意して装置を水平に置くこと。
【００１９】
【発明の効果】
以上の説明から容易に理解できるように、本発明によれば、この一連の運動で、脳・運動神経および体各部の筋力強化が一台の訓練装置で同時にでき、その上姿勢が良くなる他、雑念を捨てバランス運動に専念するため、精神安定とストレス解消がはかられ、健全な体質の総合強化がはかられる。
【図面の簡単な説明】
【図１】本発明の一実施例である、脳・運動神経および筋力訓練装置の平面図である。
【図２】図１のＡ−Ａ線から見た正面図である。
【符号の説明】
１０：架台
１２：自由板
１４：自由架台
１６：踏台
１８：下側ベアリング
２０：上側ベアリング
２２：上側ガイドロッド
２４：下側ガイドロッド
２６：下側ガイドロッド固定金具
２８：上側ガイドロッド固定金具
３０：球体
３２：ユニバーサルボルト
３４：ナット
３６：スプリング
３８：スプリング固定金具
４０：スプリング固定金具
４２：衝撃吸収スプリング
４４：衝撃吸収材
４６：衝撃吸収材
【図１】
2004097737.tif 000003
【図２】
2004097737.tif 000004